(57)【特許請求の範囲】
【請求項１】
ガス流から粒子を分離するための装置であって、
ガス流中の粒子を電離相状態に帯電させるための帯電ユニットと、
導電性の表面要素（５２ａ，５２ｂ；６０ａ〜ｄ；６４ａ，６４ｂ；７４；８０；８６）を有する遠心分離機のロータ（１４ｂ〜ｈ）を備える堆積ユニットであって、ガス流中の電離した粒子が前記表面要素間のガス流隙間（７８；８７）を通過する間に当該粒子を前記表面要素上に堆積させることができ、前記ロータ（１４ｂ〜ｈ）が、周囲のケーシング（１２）内に回転可能に取り付けられ、前記表面要素が、前記ケーシングの第１のガス流開口に接続され且つ前記表面要素間の前記ガス流隙間（７８；８７）と前記ロータ（１４ｂ〜ｈ）を取り囲む前記ケーシング（１２）内の空間とに連通するガス流シャフトを前記ロータ内に画定する、堆積ユニットと、
隣り合う前記表面要素の対向面同士の間に電界を形成するために、隣り合う前記表面要素の対向面に接続されて当該対向面に異なる電位を印加するように構成された電子ユニット（３８）と、
分離された粒子のための出口（２４）と、
前記ケーシング内の前記空間に関連し、前記第１のガス流開口とは流れ方向が反対である前記ケーシングの第２のガス流開口と、を備え、
前記表面要素（５２ａ，５２ｂ；６０ａ〜ｄ；９０）は軸方向に向けられていることを特徴とする装置。
【請求項２】
前記表面要素（８６）は平坦であり軸方向に向けられていることを特徴とする、請求項１に記載の装置。
【請求項３】
前記表面要素（８６）は湾曲しており軸方向に向けられていることを特徴とする、請求項１に記載の装置。
【請求項４】
軸方向に向けられた前記表面要素（６４ａ，６４ｂ；７４；８０）が、半径に対して所定の角度を成す部分を有することを特徴とする、請求項１に記載の装置。
【請求項５】
周方向から見て１つおきの軸方向に向けられた表面要素（５２ａ；６０ａ，６０ｃ；６４ａ；７４；８２；８６）が、アースに接続されるとともに、隣り合う接地された表面要素の内側部分と共に対応するコロナワイヤ（５８；７０）のための空間（５６；５６ｃ；６８；７２）を画定する径方向内側部分（５４；６６）を有し、所定の電位に対して接続される表面要素（５２ｂ；６０ｂ，６０ｄ；６４ｂ；７４；８２；８６）が前記接地された部分同士の間に配置されることを特徴とする、請求項１〜４のいずれか一項に記載の装置。
【請求項６】
接地された前記表面要素（５２ａ；６０ａ，６０ｃ；６４ａ；７４；８２；８６）の前記径方向内側部分が略放射状であることを特徴とする、請求項５に記載の装置。
【請求項７】
接地された前記表面要素（６４ａ；７４；８０）の径方向外側部分が、所定の電位に接続される中間表面要素（６０ｂ，６０ｄ；６４ｂ）と同様、半径に対して所定の角度を成していることを特徴とする、請求項５又は６に記載の装置。
【請求項８】
周方向から見て１つおきの軸方向に向けられた表面要素（９０）が、アースに接続されるとともに、隣り合う接地された表面要素の外側部分と共に対応するコロナワイヤ（８８）のための空間（９２）を画定する径方向外側部分を有し、所定の電位に対して接続される表面要素が前記接地された部分同士の間に配置されることを特徴とする、請求項１に記載の装置。
【請求項９】
前記各表面要素が２つの導電性の表面層（８２，８４）と１つの中間絶縁層（８５）とを有することを特徴とする、請求項１に記載の装置。
【請求項１０】
互いに対向する隣り合う表面要素の前記表面層（８２，８４）が、それらの間に電界を形成するために異なる電位に接続されていることを特徴とする、請求項９に記載の装置。
【発明の詳細な説明】
【技術分野】
【０００１】
本発明は、ガス流から粒子を分離するための方法に関する。より具体的には、本発明は、非常に小さい軽い粒子及び大きい重い粒子の両方をガス流から分離するための方法に関する。また、本発明は、そのような方法を実行するための装置に関する。
【背景技術】
【０００２】
多量のガス流から粒子を分離するため、現在、様々なタイプの遠心分離機が使用されている。例えば、国際公開公報第０１／３６１０３号及び米国特許第３  ２３４  ７１６号は、油粒子や塵埃などの粒子を含むガスを清浄するための遠心分離機について記載している。この場合、分離機は、固定ケーシング内に回転可能に取り付けられ且つ例えば円錐堆積プレート（挿入プレート）の形態を成す表面要素の積層体を有するロータを備える。このタイプの分離機は、幅広い粒径範囲内の粒子の分離に有効である。これは、プレート要素と高い遠心力との間の短い堆積距離に起因している。このタイプの分離機は、多量の粒子を扱うのに適している。しかしながら、これらは、例えばガス流中のあまりにも小さく軽すぎる粒子、例えば約１μｍよりも小さい粒子の分離などの特定の用途においてあまり有効ではない。したがって、これらの極めて小さい軽い粒子は、多くの場合、表面要素上及び周囲のケーシングの内面上に堆積することなく、ロータのプレート積層体を通過することができ、その結果、これらの粒子は、分離されることなく、ガスと共に分離機を通過して出てしまう。
【０００３】
極めて小さい軽い粒子をガス流中から分離するため、静電フィルタ又は静電クリーナを使用することができるが、このフィルタ又はクリーナは、大きな粒子を分離して多量の粒子を処理する場合には限界がある。
【０００４】
非常に小さい軽い粒子及び大きい重い粒子の両方をガス流から分離できるようにするため、様々なタイプの静電フィルタ又は静電クリーナが既に提案されてきており、これを使用することにより、静電気力と遠心力との組み合わせによって細かい粒子をガスから分離することができる。例えば、英国特許第７２９  ６１２号、米国特許第２  ８５３  １５１号及び米国特許第４  ７１８  ９２３号は、遠心力によって小さい粒子及び大きい粒子を分離するためにガス流中の粒子が帯電されると同時にガス流がサイクロン作用に晒される様々なタイプのそのような静電分離機について記載している。これらの分離機に伴う欠点は、粒子が堆積される帯電面が固定されており、静電気力が役に立たない程度まで上記帯電面が急速にコーティングされるようになるという点である。したがって、そのような分離機は、粒子含有量が高いガス流を扱うことができない。
【発明の概要】
【０００５】
本発明の目的は、大きい重い粒子及び非常に小さい軽い粒子の両方を個別に或いは一緒に分離する際の効率及び能力を高める方法を提案することである。基本的に、これは、ガス流中の粒子が電離ステップで帯電され、帯電された粒子を伴うガス流が、遠心分離機のロータ上のプレート状堆積表面要素間の複数の隙間を通じて流され、これらの隙間には、隣り合う堆積表面要素間に粒子の電位と異なる電位を印加することにより電界が形成され、粒子が隙間を通過する間、少なくとも静電気引力によって堆積表面要素の面上に粒子が堆積され、堆積表面要素上に堆積された粒子が、ロータの回転によって堆積表面要素の外周に向かって流出されるとともに、そこから、ロータを取り囲むケーシングの内面に向けて投げ出され、ケーシングの内面上に捕捉された粒子、及び、粒子が取り除かれたガスが、ケーシングの別個の出口を通じてケーシングから導出される、ことにより本発明にしたがって達成できる。そのような方法により、遠心力のみを使用して分離（“重力分離”）できない極めて小さい軽い粒子（約１μｍよりも小さい）が最初に静電気引力によって表面要素上に堆積され、その後、表面要素上の粒子の蓄積物をロータの回転によってケーシングの周壁に向けて投げ出した後、ケーシングの粒子用出口を通じて導出される。
【０００６】
非常に小さい軽い粒子及び重い粒子の両方を分離するため、ロータの回転によって形成される遠心力と静電気引力との同時複合作用により粒子が隙間を通過する間に堆積表面要素の面上に粒子を堆積させれば、特に有益である。
【０００７】
本発明によれば、独立請求項４及び独立請求項５により、並流分離及び向流分離の両方においてこの方法を実行するための他の装置も提案される。
【０００８】
本発明の更なる内容及び利点は、以下の請求項及び添付図面に関連する詳細な説明から明らかとなろう。
【図面の簡単な説明】
【０００９】
【図１】円錐堆積プレートを有する本発明に係る静電遠心分離機の第１の実施形態を側面図で概略的に示している。
【図２】平坦な径方向堆積プレートを有する本発明に係る静電遠心分離機におけるロータの第２の実施形態を側面図で概略的に示している。
【図３】同じ方向で回転する電離空間を伴う平坦な軸方向堆積プレートを有する本発明に係る静電遠心分離機におけるロータの第３の実施形態を平面図で概略的に示している。
【図４】図３の実施形態に類似するが各電離空間に関連付けられた複数の堆積隙間を有する第４の実施形態を平面図で概略的に示している。
【図５】半径に対して所定の角度を成す平坦な軸方向堆積プレートを有する本発明に係る静電遠心分離機におけるロータの第５の実施形態を平面図で概略的に示している。
【図６】図５の実施形態に類似するが静止電離空間を有する第６の実施形態を平面図で概略的に示している。
【図７】図６の実施形態に類似するが堆積チャンネルの平行な対向する表面を有する第７の実施形態を平面図で概略的に示している。
【図８】湾曲する軸方向堆積プレートを有する本発明に係る静電遠心分離機におけるロータの第８の実施形態を平面図で概略的に示している。
【図９】向流分離のための本発明に係る静電遠心分離機におけるロータの第９の実施形態を平面図で概略的に示している。
【発明を実施するための形態】
【００１０】
図１には、本発明に係る遠心分離機の第１の実施形態が全体的に参照符号１０で示されており、この遠心分離機は、静電気引力と遠心力との同時複合作用によって、ガス流中の静電的に帯電された固体粒子及び／又は液体粒子を分離するようになっている。分離機１０は固定ケーシング１２を備えており、固定ケーシング１２内にはロータ１４が回転可能に取り付けられている。このロータ上には、同心的な円錐状のプレート状要素、いわゆる挿入プレート１６の積層体の形態で複数の堆積表面要素が取り付けられており、以下では、その構造について更に詳しく説明する。ケーシング１２は、清浄されるべきガスのための入口１８を有する。入口１８は、ロータ１４内の中央入口シャフト２０内へと同心的に開放している。また、ケーシング１２は、遠心分離機１０内で清浄されたガスのための出口２２と、ガスから分離された粒子のための出口２４とを有する。
【００１１】
ロータ１４は下端部２６を有し、下端部２６上には円錐挿入プレート１６が積み重ねられており、これらの挿入プレートは、スペーサ（図示せず）によって、僅かな軸方向距離だけ離間された状態に保たれている。図面には、明確にするのため４つのプレート１６だけが示されており、これらのプレートは、誇張された厚さをもって且つ誇張された離間距離で示されている。ロータ１４は、ここでは電気モータ２８によって例示される駆動ユニットによりシャフト３０を介して駆動される。
【００１２】
円錐挿入プレート１６は、３つの層、すなわち、外側に面する導電表面層３２と、非導電材料から成る内部の絶縁中間層３４と、内側に面する導電表面層３６とから構成することができる。少なくとも内側に面する表面層３６は、概略的に示される別個のリード線４０により電源３８に対して電気的に接続されており、あるいは、アースに対して接続されている。電源３８は、プレート要素の内側に面する表面層３６に対して印加するのに適した高電圧をモータ２８及びロータ１４の回転によって発生する発電機を備えることができる。一方、外側に面する表面層３２は、リード線４２を介してアースに接続することができ、あるいは、粒子と同じタイプの電位を有することができ、それにより、隣り合うプレート要素１６の対向面同士の間に電界が形成される。円錐挿入プレート１６の上流であって、入口１８内の何らかの場所（図２参照）又は図１に示されるようにロータ１４の中央入口シャフト２０の内側には、ガス流中の粒子が円錐挿入プレート１６間に導かれる前に当該粒子を帯電させるために電離ユニット４４が配置されている。電離ユニット４４は、例えば、入口１８内又は入口シャフト２０内に配置することができ或いは電源３８内の電子ユニット（図示せず）又は完全に別個の電子ユニット（図示せず）と一体化できるコロナワイヤ４６などの様々な装置を備えることができる。コロナワイヤ４６は、例えば、軸に沿って配置することができ、あるいは、シャフト２０内でリングの形態を成すことができる。あるいは、コロナワイヤ４６は、隣り合う挿入プレート１６間の入口隙間と同心のリング（図示せず）として配置できるとともに、ロータ１４と共に回転するように配置することができる。コロナワイヤ４６を用いることにより、ガス流中の粒子がガス流と共に挿入プレート１６間の隙間４８内へ導かれる前に、当該粒子に対して例えばマイナス電位を与えることができる。コロナワイヤ４６は例えば−１０ｋＶ〜−２０ｋＶ程度の電圧で動作できる。このとき、表面層３６の電位は、例えば数キロボルト、例えば約＋５ｋＶとなり得る。
【００１３】
図１に係る実施形態の遠心分離機１０は原理的に以下のように動作する。
【００１４】
ガスから分離されるべき小さい軽い粒子及び大きい重い粒子の両方を含むガス流が、入口１８を介して、分離機のロータ１４の中央入口シャフト２０内へと導かれる。この上流側でシャフト２０へと導かれる途中、あるいは、図示のように入口シャフト２０それ自体の中で、ガス流中の粒子は、電離ユニット４４のコロナワイヤ４６によって、粒子の電離により帯電される。また、挿入プレート１６間の隙間４８を通じてガス流が通過する間、遠心力により分離することが困難な小さい軽い粒子は、それらの帯電電位に起因して、反対の或いは異なる帯電電位を有する挿入プレート１６の表面層３６上に直ちに堆積して捕捉される。ここで説明する実施形態では、利用される方法が並流分離であり、この並流分離においては、ガス流がロータの内側から外側へ通過するとともに、粒子は、隙間４８を通過する間、遠心力と静電気力との複合作用によって挿入プレート１６の内側に面する表面３６上に蓄積し、その後、挿入プレートの外周へ向かって滑り出し、結果として、ケーシングの周壁５０の内面に向かって投げ出される。その後、壁上に捕捉された粒子を、ケーシングの底部にある粒子用出口２４を介して、ケーシング１２から流出させることができる。粒子が取り除かれたガスは、ガス用出口２２を介してケーシング１２から流出する。
【００１５】
このように、本発明にしたがって提案された分離方法及び装置によれば、１つの同じ遠心分離機で、１つの同じ時間に、大きい重い粒子及び極めて小さい軽い粒子の両方をガス流から分離することができる。さもなければ、特にそのような軽い粒子は、挿入プレート１６間の隙間４８を素通りし、その後、ガス流と共にガス用出口２２を通過して出てしまう。このようにすれば、ガス流出時にガスが十分に清浄されることを確保できる。また、装置は、多量の粒子を処理することができる。
【００１６】
図１に係る本発明の実施形態は、図示しない向流ガス清浄方法で使用する場合にも実施可能である点を強調しなければならない。これにおいて、ガス流は、反対方向に流れ、すなわち、図面に示されるケーシング１２の出口２２（この場合には入口）から挿入プレート１６間の隙間４８へと、ロータ１４の中央シャフト２０に向かって径方向内側に流れ、その後、この場合にはクリーンなガスのための出口を形成する図面に示される入口１８を通じて流出する。ガス流中のガス粒子の電離及び帯電は、これらの粒子が入口２２を介してケーシング１２内へ導かれる直前に実行することができ、又は、プレート要素１６の外周の外側に直接に配置された固定状態の或いは同じ方向に回転するコロナワイヤ(図示せず)によって実行することができる。ガスが隙間４８を通過する最中に、粒子は、遠心力と静電気力との複合作用により、内側に面する帯電面３６上に捕捉されるとともに、遠心力によりプレート１６の外周へ向けて流出してケーシングの壁５０の内面に向かって投げ出される塊又は蓄積物を形成し、その後、分離された粒子は、粒子用出口２４を通じて流出される。
【００１７】
極めて小さい軽い粒子だけ、例えば約１μｍ未満の粒子だけをガス流から分離するため、図２に概略的に示されるように、平坦なディスクの形態を成すプレート状要素１６ａを有するロータ１４ａを伴う静電遠心クリーナを使用することができる。プレート１６ａは、図１における円錐プレート要素１６の場合のように遠心力に対して所定の角度を成す表面を有する必要はない。これは、関与する重力が、極めて小さい粒子に対して所要の影響を与えないからである。したがって、これらは、並流分離の場合にファン効果を形成する好ましくは回転プレート要素１６ａの対向面３２ａ、３６ａのうちの一方３２ａに対して付着されるようになるべく、静電気引力のみによって引き起こすことができる。もう１つの方法として、ロータ１４は、静止させておくことができるとともに、粒子の大きな蓄積物がプレート要素１６ａ上に形成されたときに粒子の蓄積物を周囲のケーシング（図示せず）の内面に向けて投げ出すために断続的に始動できる。この粒子の蓄積物は、その後、粒子用出口を通じて導出される。図２の実施形態において、ロータ１４ａの上流側のガス中の粒子の電離は、入口１８内に配置された１つ以上のコロナワイヤ４６によって行なわれる。
【００１８】
図３は、本発明に係る装置のためのロータ１４ｂの他の実施形態を平面図で概略的に示している。この場合、挿入プレートは、ロータのシャフトの軸に沿って配置される平坦な径方向に向けられたプレート要素５２ａ、５２ｂとして構成されている。１つおきのプレート要素５２ａは内側部５４を有しており、これにより、これらの内側部間に電離空間５６が形成され、電離空間内では、ロータへと流れている清浄されるべきガス流中の粒子を、同じ方向に回転し且つそれぞれの空間５６内に位置されるコロナワイヤ５８によって帯電させることができる。プレート要素５２ａはアースに対して接続することができ、一方、プレート要素５２ａ間に位置するプレート要素５２ｂは例えば約＋５ｋＶの電位を有することができる。コロナワイヤ５８は、例えば、約−１０ｋＶ〜−２０ｋＶの電位を有することができる。この実施形態は、重力の適用が殆ど影響しない非常に小さい軽い粒子の分離に適している。したがって、粒子の実際の堆積中にロータを静止させておくことができ、その間、静電気引力の結果として、静止したプレート要素５２ａ、５２ｂの対向面のうちの一方に対して粒子が付着させられるようになる。図２の実施形態の場合と同様の方法で、その後にロータ１４ｂを始動させて、粒子の蓄積物を周囲のケーシング（図示せず）の内面へ向けて投げ出すことができ、その後、その内面から蓄積物が粒子用出口を通じて導出される。
【００１９】
図４は、図３のロータ実施形態に類似するロータ実施形態を示しているが、この場合、電離空間５６ｃを形成する径方向内側端部を有するロータ１４ｃのプレート要素６０ａがそれらの間に３つのプレート要素６０ｂ〜ｄを有し、それらのうちの真ん中のプレート要素６０ｃがプレート要素６０ａと同様にアースに接続され、一方、プレート要素６０ｂ、６０ｄは例えば約＋５ｋＶの電位を有することができる。
【００２０】
図５に示されるように、ロータ１４ｄは、もう１つの方法として、ロータのシャフトに沿って軸方向に配置されたプレート要素６４ａ、６４ｂとして構成される堆積プレートを有することができ、これらのプレート要素は平面視で半径に対して所定の角度を成している。１つおきのプレート要素６４ａは径方向に向けられた内側部６６を有することができ、それにより、これらの間に電離空間６８が形成され、この電離空間内では、ロータ１４ｄへと流れている清浄されるべきガス流中の粒子を、同じ方向に回転し且つそれぞれの空間６８内に位置されるコロナワイヤ７０によって帯電させることができる。プレート要素６４ａ、６６はアースに対して接続することができ、一方、これらの間に位置され且つ接線部分のみを有するプレート要素６４ｂは例えば約＋５ｋＶの電位を有することができる。コロナワイヤ７０は、例えば、約−１０〜−２０ｋＶの電位を有することができる。遠心力に対して所定の角度を成す部分をプレート要素６４ａ、６４ｂが有するこの実施形態では、静電気引力と遠心力との複合作用によって、重い粒子及び軽い粒子の両方をプレート要素部分上に捕捉することができる。
【００２１】
図６は、図５のロータに類似するロータの一実施形態を概略的に示しているが、この場合、電離空間７２は、ロータ１４ｅの中心部で静止された状態となり、回転する接線方向プレート要素７４から分離されるように構成されている。このようにして、流れに混乱を殆ど生じさせない電離空間が形成される。１つおきのプレート要素７４がアースに接続され、一方、これらの間に位置する要素がプラス電位に対して接続される。コロナワイヤ７６は例えばマイナス電位に対して接続することができる。
【００２２】
図７はロータ１４ｆの一実施形態を概略的に示しており、この実施形態は、角度を成したプレート要素８０間の流れ隙間７８が平行な対向面８２、８４を有し、面８４がプラス電位を有する一方、対向する面８２がアースに接続されるという点において、図６に示される実施形態と異なっている。このようにして、より均一な電界強度を有する電場がプレート要素８０間に形成される。プレート要素８０は、面８２、８４を形成する導電表面層を有する絶縁コア８５から構成することができる。
【００２３】
図８は、プレート要素８６が代わりに湾曲されているという点で図６に示されるロータと異なるロータ１４ｇの一実施形態を示している。このようにしても、ほぼ均一な電界強度を持つ電場を有する流れ隙間８７をプレート要素８６間で得ることができる。
【００２４】
図１〜８に示される本発明の実施形態は、粒子を伴うガス流がロータのプレート状堆積表面要素を通じて内側から外側へと流れる、すなわち、遠心力とほぼ同じ方向で流れる、いわゆる並流分離を対象としている。しかしながら、前述したように、本発明の枠組みの範囲内で、ガス流が反対方向に流れる、すなわち、ロータの中心に向かって外側から内側へと遠心力の方向とほぼ逆の方向に流れる、いわゆる向流分離を達成するように実施形態の全てを変更することができる。図９はこの一例を示している。これにおいて、軸方向に配置されるコロナワイヤ８８は、ここではアースと所定の電位、例えばプラス電位とに対して交互に接続される径方向に向けられた平坦なプレート要素９０として例示される堆積表面要素の外周の径方向外側に配置されており、また、先と同様の態様で、コロナワイヤ８８は、上流側に位置される電離空間９２を貫通して延びており、電離空間は周囲のケーシング（図示せず）に固定状態とすることができる。無論、電離空間９２は同じ方向に回転することもできる。図９に係るロータ１４ｈの実施形態は、非常に小さい軽い粒子の純粋に静電的な分離に主に適する完全径方向の平坦プレート要素９０を有する。この場合、ロータ１４ｈの回転の結果として、プレート要素９０上に堆積された粒子の蓄積物を、これらのプレート要素から周囲のケーシングに向けて放出することができる。前述した他の実施形態において、対応する向流分離概念を適用することもできる。
【００２５】
前述の実施形態では、コロナワイヤがマイナス電位に接続され、一方、堆積表面要素がプラス電位に接続されていると言うことができるが、極性を逆にできることに留意すべきである。また、プレート要素又は粒子を捕捉するようになっていないプレートの面を接地する代わりに、堆積表面に対して印加されるタイプと同じタイプの電圧であるが電位の強さが異なる電圧を印加することができる。また、粒子が帯電されるタイプと同じタイプの電圧であるが電位の強さが異なる電圧をもって堆積表面を帯電させることもできる。
【００２６】
また、図１及び図５〜８の実施形態に係る装置によれば、ガス流中に見出されるべき特定の材料の様々な断片の分類を行なうことができることに留意すべきである。分離機を通過するガスの流量を調整することにより及び／又は粒子の帯電電位及び遠心力に対して所定の角度を成すプレート要素の内側に面する表面の帯電電位を調整することにより、また、必要であれば、分離されるべき粒子の比重に応じて適切な方法でロータの速度を調整することにより、例えば、特定の最大密度の一部だけが分離される一方で要求に従って低密度の他の粒子をガスと共にケーシング１２から排出させることができるように分離を制御することができる。また、ケーシングの内壁とロータ１４との間の空間内での乱流を減らすため、ケーシング１２をロータ１４と共に回転するように配置することができることに留意すべきである。
【００２７】
また、一定の間隔で液体をプレート要素に流し掛ける（フラッシングする）ためのフラッシング装置（図示せず）を前述した実施形態に設けると都合良い。例えば、この目的のため、スウェーデン特許第５２６  ８１５  Ｃ２号（国際公開公報第２００５０８７３８４号）で示されて説明されているタイプのフラッシング装置を使用することができる。
【００２８】
なお、電離空間を画定する図６〜９に示されるプレート要素と壁要素との間の隙間は、これらの要素間の電気的分離をも象徴することができ、そのため、これらのケースにおいて、電離空間は、プレート要素と共に回転できると考えることができる。
【図１】
0005629652.tif 000002
【図２】
0005629652.tif 000003
【図３】
0005629652.tif 000004
【図４】
0005629652.tif 000005
【図５】
0005629652.tif 000006
【図６】
0005629652.tif 000007
【図７】
0005629652.tif 000008
【図８】
0005629652.tif 000009
【図９】
0005629652.tif 000010